(57)【要約】【課題】斜面における作業者の停止と歩行を容易にできるようにする。【解決手段】斜面に沿うように張設される索条１と、索条１に上端部が掛脱できるように、且つ斜面Ｇに下端部が差し抜きできるように構成される支持具５とを備え、支持具５を、索条１に引っ掛けられる引掛け部１６及び引掛け部１６に設けられる支軸部１７を有するフック１５と、引掛け部１６が引っ掛けられた状態の索条１を引掛け部１６側に押圧付勢するように、フック１５に設けられる押圧体２１と、支軸部１７に対して同軸上に配置されると共に、下端部７ａが先細りに形成される杆状体６と、フック１５の支軸部１７と杆状体６との間に設けられる弾性部材１３とを備える。【選択図】図２
2010252858.tif 000002
【特許請求の範囲】
【請求項１】
斜面（Ｇ）に沿うように張設される索条（１）と、該索条（１）に上端部が掛脱できるように、且つ斜面（Ｇ）に下端部が差し抜きできるように構成される支持具（５）とを備えた斜面用歩行補助装置。
【請求項２】
前記支持具（５）は、索条（１）に引っ掛けられる引掛け部（１６）及び該引掛け部（１６）に設けられる支軸部（１７）を有するフック（１５）と、引掛け部（１６）が引っ掛けられた状態の索条（１）を引掛け部（１６）側に押圧付勢するように、支軸部（１７）に設けられる押圧体（２１）と、支軸部（１７）に対して同軸上に配置されると共に、下端部（７ａ）が先細りに形成される杆状体（６）と、フック（１５）の支軸部（１７）と杆状体（６）との間に設けられる弾性部材（１３）とを備えることを特徴とする請求項１に記載の斜面用歩行補助装置。
【発明の詳細な説明】
【技術分野】
【０００１】
本発明は、例えば、送電設備が設置された山の斜面を歩行する際に使用する斜面用歩行補助装置に関する。
【背景技術】
【０００２】
従来より、送電線設備が設置された山間部において、定例的な巡視によって保守点検を行ったり、配電線事故が生じた際に、配電線事故の原因を究明したりする場合、作業者は、山間部の斜面、例えば４５度以上の急斜面を、重い機材を携帯した状態で歩行しているのが現況である。
【発明の概要】
【発明が解決しようとする課題】
【０００３】
したがって、作業者は、熟練者であっても、斜面において、停止したり、現地点から次の地点へ移動したりしようとする場合、重い機材を携帯した状態で、体のバランスを整えつつ、停止と歩行を繰り返す必要があるため、目的地点に辿り着くまで多大の労力と時間を要する。
また、配電線事故時には昼夜を問わず巡視をする必要があるが，夜間の巡視ともなると照明も限られており、山中を歩行するだけでも非常に困難となる。また、次の電柱まで辿り着くにしても、巡視路を熟知している作業者でないと、暗闇の中を迷うことも多々あり、日中に比べて相当の時間を費やしている。
【０００４】
そこで、本発明は、上記問題点を鑑み、斜面における作業者の停止と歩行を容易に行うことができるようにした斜面用歩行補助装置を提供することを目的とする。
【課題を解決するための手段】
【０００５】
前記課題を解決するために、本発明に係る斜面用歩行補助装置は、斜面Ｇに沿うように張設される索条１と、上端部が索条１に掛脱できるように、且つ下端部が斜面に差し抜きできるように構成される支持具５とを備えたことを特徴とする。
【０００６】
作業者が斜面Ｇにおいて停止しようとする場合、斜め下方に向けて重力がかかるため、体のバランスを保持するのが困難になる。これに対処すべく、斜面Ｇに対して略鉛直方向に支持具５を立設できれば、即ち、斜面Ｇに沿うように張設される索条１に支持具の上端部を掛止し、且つ下端部を斜面Ｇに対して略鉛直方向に突き立てれば、作業者は、立設された支持具５につかまることで、体を鉛直方向に支えることができ、体のバランスを保持しやすくなる。また、作業者が斜面Ｇにおいて歩行しようとする場合、即ち現地点から次の地点へ移動しようとする場合、斜め下方に向けての重力に加速度が加わることになるので、体のバランスを保持するのがより困難になる。したがって、斜面Ｇにおいて、複数の目的地点を結ぶように、索条１を張設すると共に、該索条１に沿って支持具５を適宜立設すれば、下方に向かって順次立設された支持具５につかまりつつ目的地点へ移動できるようになる。なお、ここでいう「支持具５を適宜立設する」とは、索条１に沿って複数の支持具５，…を斜面Ｇに突き立てたり、単体の支持具５を斜面Ｇに差し抜きしたりすることを含むものとする。
【０００７】
また、本発明によれば、前記支持具５を、索条１に引っ掛けられる引掛け部１６及び該引掛け部１６に設けられる支軸部１７を有するフック１５と、引掛け部１６が引っ掛けられた状態の索条１を引掛け部１６側に押圧付勢するように、フック１５に設けられる押圧体２１と、支軸部１７に対して同軸上に配置されると共に、下端部７ａが先細りに形成される杆状体６と、フック１５の支軸部１７と杆状体６との間に設けられる弾性部材１３とで構成するようにしてもよい。
【０００８】
この場合、索条１にフック１５の引掛け部１６が引っ掛けられると、フック１５の支軸部１７が略鉛直方向に懸吊される一方、引掛け部１６の内面に索条１の上側の外周面が当接すると共に、索条１を引掛け部１６側に弾性付勢された押圧体２１が、索条１の下側の外面に圧接することによって、索条１が引掛け部１６及び押圧体２１によって挟圧される。この状態で、下杆状部７の下端部７ａを斜面Ｇに突き立てれば、斜面Ｇに対して支持具５が略鉛直方向に立設された状態になる。そして、下杆状部７の下端部７ａを斜面Ｇから上方に引き抜けば、フック１５の引掛け部１６が上方に引き上げられ、押圧体２１が索条１に圧接した状態で、引掛け部１６の内面が索条１の上側の外面から離脱し、索条１に対する掛止状態が解除されたことになる。即ち、作業者は、杆状体６を把持しつつ、索条１に沿って移動できるようになる。また、支持具５を斜面Ｇから離間させた状態で、移動しようとする際に、バランスを崩して滑落しそうになっても、押圧体２１が索条１に圧接しているので、上杆状部１１を把持しつつ体重を支持具５にかければ、上杆状部１１及びフック１５が下方に引っ張られて、フック１５の引掛け部１６と押圧体２１とで、索条１がより強固に挟圧され、上述した掛止状態に迅速に戻ることになる。つまり、作業者の滑落が防止できるようになる。
【発明の効果】
【０００９】
以上のように、本発明によれば、斜面に沿って張設された索条をガイドにしつつ、該索条に支持具の上端部を掛脱できるようにすると共に、索条に掛止された状態で支持具の下端部を斜面に差し抜きできるようにしたので、作業者は、斜面における体のバランスを保持しやすくなり、重い機材を携帯した状態であっても、斜面での歩行と停止を容易に行うことができ、労力の軽減と時間短縮を行うことができる。
【図面の簡単な説明】
【００１０】
【図１】本発明の一実施形態に係る斜面用歩行補助装置の全体を示し、作業者が、支持具の下端部を斜面に突き立てると共に、フックの引掛け部を索条に引っ掛けた状態を示す概略図。
【図２】斜面用歩行補助装置を分解した図であり、索条に引っ掛けられるフックと、該フックの支軸部に同軸上に配置される杆状体（上杆状部及び下杆状部）とを示す図。
【図３】（ａ）〜（ｃ）は斜面用歩行補助装置の使用態様を示す図。
【発明を実施するための形態】
【００１１】
以下、本発明の実施形態に係る斜面用歩行補助装置について、図１〜図３を参照しつつ説明する。なお、本実施形態においては、送電線設備が設置された山間部を例にとって説明する。また、図３（ａ）〜（ｃ）においては、掛止輪９は省略している。
【００１２】
本実施形態に係る斜面用歩行補助装置は、図１に示すように、山などの斜面Ｇに所定の間隔をおいて配置された複数の電柱Ａ，…に張設される索条１と、作業者３０によって、索条１に掛止されると共に、斜面Ｇに突き立てられたり、引き抜かれたりして、斜面Ｇにおける作業者３０の停止と歩行を補助する支持具５とで構成されている。
【００１３】
索条１は、ワイヤで構成されており、斜面Ｇに沿うように、且つ撓むことがないように、略直線状に上方から下方へ、所定の高さ（例えば２．５ｍ程度）にて張設される。なお、本実施形態では、ワイヤとしたが、ロープ、チェーン、レールであってもよい。要は、支持具５が掛止できるものであればよい。
【００１４】
支持具５は、図２に示すように、斜面Ｇに突き立てられたり、引き抜かれたりできるように、下端部７ａが先細りに形成された下杆状部７、及び該下杆状部７の上端部７ｂに同軸上に連結される上杆状部１１を有する杆状体６と、索条１に引っ掛けられる円弧状の引掛け部１６及び該引掛け部１６に径外方向に延出される支軸部１７を有するフック１５と、引掛け部１６が引っ掛けられた状態の索条１を引掛け部１６側に押圧付勢できるように、支軸部１７に進退自在に設けられた押圧体２１と、杆状体６とフック１５との間に設けられる弾性部材としての圧縮ばね１３とを備えている。
【００１５】
下杆状部７は、有底筒状を呈しており、斜面Ｇに突き立てられたり、引き抜かれたりできるように、下端部７ａが円錐状に形成されている。また、該下端部７ａのやや上方に、下杆状部７が斜面Ｇに対して略鉛直方向に立設できるように、頂部が斜面に向かって突出するように、三角形状の支持板８が突設されている。そして、下杆状部７は、軽量化のため、下端部７ａ及び上端部７ｂを除く部位は、中空に形成されている。また、下杆状部７の上端部７ｂの外周面に、図１に示す作業者３０の安全帯３１のフック３２が掛止する掛止輪９が取り付けられている。また、下杆状部７の上端開口部の内周面に、後述する上杆状部１１の雄ねじ１２が螺合する雌ねじ１０が形成されており、使用しない時は上部・下部を分割することができるため、車両等への搭載等、持ち運びにも便利である。
【００１６】
上杆状部１１は、有底筒状を呈しており、下端部１１ａの端面に、上記雌ねじ１０と螺合する雄ねじ１２が形成されると共に、圧縮ばね１３が空洞１４に内挿されると共に、該圧縮ばね１３を圧縮するように、後述するフック１５の支軸部１７が挿入されている。この圧縮ばね１３は、一端部が上杆状部１１の空洞１４の底部に固着されていると共に、他端部が、フック１５の支軸部１７の端面に固着されている。そして、圧縮ばね１３は、通常、フック１５の支軸部１７を上杆状部１１の上端部１１ｂの開口部から出方向に弾性付勢している一方、フック１５の引掛け部１６が索条１に引っ掛けられると共に、下杆状部７が斜面Ｇに突き立てられた状態で、該下杆状部７が斜面Ｇから引き抜かれた場合、フック１５の支軸部１７が後退（上杆状部１１の上方への移動）することで、圧縮ばね１３は圧縮される。なお、この動作については、「使用態様」において詳細に説明する。
【００１７】
フック１５は、索条１に対して側方から引っ掛けられるように、側部が切除されて略Ｃ字形状に形成された引掛け部１６と、該引掛け部１６に径外方向（鉛直方向）に延出された支軸部１７とを備えている。そして、支軸部１７は、上述したように、その下端面に、上記圧縮ばね１３の他端部が固着されて、荷重の有無によって定位置に復帰するようになっている。また、切除された引掛け部１６の下側の端部に回動自在に係止片１８が支持されており、該係止片１８は、上側の端部に内側から圧接する（切除された引掛け部１６の両端部を閉塞する）ように、図示しない鶴巻ばねによって弾性付勢されている。そして、切除された引掛け部１６の両端部が係止片１８によって閉塞された状態においては、フック１５は略環状体を呈している。一方、切除された引掛け部１６の両端部が開放された状態においては、係止片１８が上側の端部から離脱することで、索条１の外部から引掛け部１６内への導入、及び引掛け部１６内から外部への導出ができるようになっている。即ち、係止片１８は、閉塞状態における索条１の抜け止めと、開放状態における索条１のガイドとの役目を担っている。但し、係止片１８の閉塞に対する付勢力は、張設された索条１に係止片１８の外面が圧接される場合、及び、係止片１８が作業者によって手で操作される場合、切除された引掛け部１６の両端部を開放する程度の付勢力に設定されている。
【００１８】
フック１５の支軸部１７は、軸方向に沿って孔１９が形成され、該孔１９に、圧縮ばね２０が内挿されると共に、該圧縮ばね２０を圧縮するように押圧体２１の基端部２１ａが挿入されている。この押圧体２１は、上述した基端部２１ａと、索条１の下側の外周面に当接する円弧状の当接部が形成された先端部２１ｂと、押圧体２１の軸線に対して直交する方向に延出された操作棒２１ｃとを有している。
【００１９】
そして、押圧体２１は、圧縮ばね２０によって、径内方向に弾性付勢され、索条１を引掛け部１６側に押圧付勢している。また、支軸部１７の外周面に、押圧体２１の操作棒２１ｃが導出される長孔２２が軸線に沿って形成されている。該操作棒２１ｃを長孔２２に沿って下方に移動させると、押圧体２１が圧縮ばね２０に抗して下方に移動するようになり、フック１５の引掛け部１６の内面と押圧体２１の先端部２１ｂとの間に、索条１を容易に位置させることができる。また、引掛け部１６の内面と押圧体２１の先端部２１ｂとの間に、索条１が位置した状態において、操作棒２１ｃを元の位置、即ち長孔２２の上部側に位置させれば、引掛け部１６の内面と押圧体２１の先端部２１ｂとで、索条１が挟圧されて、索条１にフック１５が掛止された状態になる。
【００２０】
また、フック１５の引掛け部１６が索条１に引っ掛けられた状態においては、索条１の中心、押圧体２１、フック１５の支軸部１７、上杆状部１１及び下杆状部７の各軸線が同軸上に位置することになる。即ち、フック１５の引掛け部１６が索条１に引っ掛けられた状態において、支持具５を操作する際の力の方向が上記軸線に集中しているので、支持具５は操作しやすい構成になっている。つまり、フック１５を索条１に掛脱しやすく、且つ下杆状部７の下端部７ａを斜面Ｇに差し抜きしやすい構成になっている。
【００２１】
つぎに使用態様について説明する。まず、作業者３０は、安全帯３１のフック３２を下杆状部７の掛止輪９に掛止させ、上杆状部１１を把持して、支持具５を携帯する。そして、索条（以下ワイヤという）１が略直線状に、即ち大きく撓むことなく張設された状態、換言すれば位置が固定された状態において、フック１５の係止片１８をワイヤ１に圧接し、係止片１８の先端部を、切除されたフック１５の上側の端部から離間させ、ワイヤ１をフック１５の引掛け部１６の内側に位置させると共に、ワイヤ１の上側の外面にフック１５の引掛け部１６の内面を当接させる。一方、支持具５を斜面Ｇに向け下方向に押し下げる動作により、押圧体２１の操作棒２１ｃを操作することとなり、ワイヤ１の下側の外面に、該押圧体２１の先端部２１ｂを圧接させて、ワイヤ１を上下方向から挟圧する（図３（ａ）参照）。
【００２２】
この際、フック１５の引掛け部１６の径内方向に付勢される押圧体２１の押圧力は、ワイヤ１の下側の外面に対して常時圧接する程度に、圧縮ばね２０の付勢力が調整されているものとする。
【００２３】
そして、作業者３０は、ワイヤ１が挟圧された状態を視認した上で、斜面Ｇに下杆状部７の下端部７ａを突き立てて、斜面Ｇにおける自身の姿勢を整える。即ち、自身が立っている地点から次に移動しようとする下方の地点に移動できる姿勢を整える。或いは、斜面Ｇにおいて停止（直立）しようとする姿勢を整える（図１参照）。
【００２４】
その後、現地点からつぎに移動しようとする地点まで移動使用とする場合、図３（ｂ）に示すように、下杆状部７の下端部７ａを斜面Ｇから少し引き抜くと、ワイヤ１の位置は固定された状態であるので、下杆状部７と地中内面との間に間隔Ｈが形成される。即ち、下杆状部７の下端部７ａが斜面Ｇに少し突き刺さったままの状態では、押圧体２１の先端部２１ｂがワイヤ１の下側の外面に圧接したままの状態で、フック１５の引掛け部１６が上方に移動すると共に、ワイヤ１の上側の外面がフック１５の引掛け部１６の内面から離脱して、ワイヤ１の上側の外面がフック１５の引掛け部１６の内面との間に、下杆状部７の下端部７ａが引き上げられた同じだけの間隔Ｈが形成される。つまり、ワイヤ１に対する支持具５の掛止状態は解除され、ワイヤ１に対して移動可能な状態になっている。
【００２５】
つぎに、図３（ｃ）に示すように、下杆状部７の下端部７ａを斜面Ｇから引き抜いて、該下端部７ａを斜面Ｇから完全に離間させると、図３（ｂ）、（Ｃ）に示すように、下杆状部７の下端部７ａと上杆状部１１の上端部１１ｂとに、引き抜いたことによって間隔Ｈ'が形成される一方、フック１５の支軸部１７が、上杆状部１１の圧縮ばね１３の付勢力に抗して空洞１４内に移動する。即ち、ワイヤ１に対してフック１５が移動可能な状態になっていることに加えて、下杆状部７の下端部７ａが斜面Ｇから離脱することで、斜面Ｇに対して下杆状部７が移動可能な状態になり、支持具５が完全に移動可能な状態となる。つまり、作業者３０は、上杆状部１１を把持して下方の移動地点（目的地点）まで移動できる状態になる。
【００２６】
このように、下杆状部７を斜面Ｇから引き抜いたり、突き立てたりすることを繰り返すことで、フック１５の引掛け部１６が掛止したり、該掛止が解除されたりするようになり、作業者３０は、支持具５を杖代わりにして、斜面Ｇを下方の目的地に向かって歩行できるようになる。
【００２７】
なお、前記実施形態の場合、支持具５を杖代わりにして、斜面Ｇに差し抜きするように使用したが、複数の支持具５，…を、各電柱Ａ，…の間に所定の間隔（例えば１ｍ間隔）をおいて立設し、手すり代わりに使用するようにしてもよく、索条１に複数の支持具５，…を所定の間隔をおいて配置するようにして、吊り輪の代わりに使用してもよい。
【００２８】
また、前記実施形態の場合、索条１及び斜面用歩行補助装置を単体で使用するようにしたが、左右で一対の索条１，１及び斜面用歩行補助装置を使用するようにしてもよい。
【００２９】
また、前記実施形態の場合、弾性部材１３を上杆状部１１の空洞１４に内挿するようにしたが、例えば、フック１５の支軸部１７を筒状に形成して、その空間部に弾性部材１３を内挿し、該弾性部材１３を圧縮するように、上杆状部１１の上端部を挿入するようにしてもよい。また、フック１５の支軸部１７及び上杆状部１１の外側に弾性部材１３を設けると共に、フック１５の支軸部１７及び上杆状部１１のそれぞれに環状のばね受けを設けて、両ばね受けで弾性部材１３を圧縮するようにしてもよい。要は、上杆状部１１とフック１５との間に設けられて、上杆状部１１とフック１５とが弾性部材１３によって伸縮できるように構成されてあればよい。
【００３０】
また、前記実施形態の場合、下杆状部７と上杆状部１１とを連結して杆状体６を構成するようにしたが、下杆状部７と上杆状部１１とが一体化された杆状体６であってもよい。つまり、杆状体６の下端部が先細りに形成されて、斜面Ｇに対して差し抜きでき、フック１５の支軸部１７と杆状体６との間に弾性部材１３が設けられる構成であればよい。
【符号の説明】
【００３１】
１…索条（ワイヤ）、５…支持具、６…杆状体、７…下杆状部、７ａ…下端部、７ｂ…上端部、８…支持板、９…掛止輪、１０…雌ねじ、１１…上杆状部、１１ａ…下端部、１１ｂ…上端部、１２…雄ねじ、１３…弾性部材、１４…空洞、１５…フック、１６…引掛け部、１７…支軸部、１８…係止片、１９…孔、２０…圧縮ばね、２１…押圧体、２１ａ…基端部、２１ｂ…先端部、２１ｃ…操作棒、２２…長孔、３０…作業者、３１…安全帯、３２…フック、Ａ…電柱、Ｇ…斜面、Ｈ…間隔
【図１】
2010252858.tif 000003
【図２】
2010252858.tif 000004
【図３】
2010252858.tif 000005